(57)【要約】【課題】  木造建物の土台等の木材部分をシロアリによる食害から確実に防止でき施工も簡単な防蟻性能を有する断熱基礎の構築方法を提供すること。【解決手段】  捨てコンクリート５上に一対の板状の断熱材（１１，２１）を所定距離隔てて立設させて型枠１０を形成し、防蟻用のメッシュシート材３０を、その下端部３１が当該型枠１０の外側の断熱材１１と当該捨てコンクリート５との間を通ってコンクリート充填空間１９に達するとともに、その上部３２が当該外側の断熱材１１の上端面部１４に掛けられかつ当該上部３２の端部３３が当該コンクリート充填空間１９に達するように配設し、内側端部５２が当該コンクリート充填空間１９に達する金属製のカバー５１で当該メッシュシート材３０の上部３２を当該外側の断熱材１１の上端面部１４に押圧するようにして係止する。【選択図】      図１
2008013915.tif 000002
【特許請求の範囲】
【請求項１】
防蟻性能を備えた断熱基礎の構築方法であって、
捨てコンクリート上に一対の板状の断熱材を所定距離隔てて立設させて型枠を形成し、防蟻用のメッシュシート材をその下端部が当該型枠の外側の断熱材と当該捨てコンクリートとの間を通って当該両断熱材間のコンクリート充填空間に達するとともにその上部が当該外側の断熱材の上端面部に掛けられかつ当該上部の端部が当該コンクリート充填空間に達するように配設し、内側端部が当該コンクリート充填空間に達する金属製のカバーで当該メッシュシート材の上部を当該外側の断熱材の上端面部に押圧するようにして係止し、その状態で当該コンクリート充填空間にコンクリートを当該カバーの内側端部および当該メッシュシート材の上部の端部が埋設するまで打設して基礎の立ち上がり部を形成してなる防蟻性能を備えた断熱基礎の構築方法。
【請求項２】
前記メッシュシート材を、上メッシュシート材と下メッシュシート材とから形成し、当該下メッシュシート材をその下端部が前記外側の断熱材と前記捨てコンクリートとの間を通って前記コンクリート充填空間に達するように配設し、当該上メッシュシート材をその上部が当該外側の断熱材の上端面部に掛けられかつ当該上部の端部が前記コンクリート充填空間に達するように配設し、当該下メッシュシート材の上端面部と当該上メッシュシート材の下端部とを接着し、内側端部が当該コンクリート充填空間に達する金属製のカバーで当該上メッシュシート材の上部を当該外側の断熱材の上端面部に押圧するようにして係止し、その状態で当該コンクリート充填空間にコンクリートを当該カバーの内側端部および当該上メッシュシート材の上部の端部が埋設するまで打設して基礎の立ち上がり部を形成してなる請求項１記載の防蟻性能を備えた断熱基礎の構築方法。
【請求項３】
前記外側の断熱材を、複数個の断熱ブロックを一列に接続して形成し、
前記カバーを、当該断熱ブロック以上の長さを有するように形成し、当該カバーを前記外側の断熱材を形成する複数個の断熱ブロックに跨るように配設して前記メッシュシート材の係止を行う構成とした請求項１又は２記載の防蟻性能を備えた断熱基礎の構築方法。
【請求項４】
補強用棒を、その内側端部を前記両断熱材よりも外方へ所定距離離れた地面に固定しかつその他端部を前記カバーに固定し、その後に、前記コンクリート充填空間にコンクリートを当該カバーの内側端部および前記メッシュシート材の上部の端部が埋設するまで打設することを特徴とする請求項１，２又は３記載の防蟻性能を備えた断熱基礎の構築方法。
【発明の詳細な説明】
【技術分野】
【０００１】
本発明は、シロアリの食害被害を防除するのに好適な防蟻性能を備えた断熱基礎の構築方法に関する。
【背景技術】
【０００２】
木造建物のシロアリ防除技術として、物理的工法（ケミカルフリー法）が注目されている（例えば、特許文献１参照）。この特許文献１に係る発明は、図１２に示すように、建物の外周部分に設けられた立ち上がり部８２と基礎 スラブ８３とを有するべた基礎８１ の立ち上がり部８２の外側面に密着した断熱材９１の内部をシロアリが通過して軸組及び床組へ侵入するのを物理的に防止する防蟻性能であって、当該断熱材９１の外側面をステンレスメッシュ９５で被覆したものとされている。このステンレスメッシュ９５は、シロアリの分泌物に耐性の耐腐食材料製とされかつ編み目の孔がシロアリ種の頭部最大寸法より小径とされている。
【０００３】
また、最近、コンクリート打設後に型枠を取り外す工法（従来基礎構築方法）に代わって、断熱材を型枠として使用するとともにコンクリート打設後も残置するという工法（断熱基礎構築方法）が次第に採用されるようになっている（例えば、特許文献３参照）。この場合、断熱材は、硬質発泡樹脂（例えば、発泡スチロール）製とされている。
【特許文献１】特開２０００−１７９０６０号公報
【特許文献２】特開２０００−１１０２６８号公報
【特許文献３】特開平１１−３６５８７号公報
【発明の開示】
【発明が解決しようとする課題】
【０００４】
ところで、特許文献１の発明の場合、理論的には、シロアリの断熱材９１への入り込みはステンレスメッシュ９５で防止できるようにみえるが、実際は例えば図１３に示すように、捨てコンクリート８５の上面は完全な平坦ではなく幾分の凹凸を有しており、断熱材９１（断熱材９１に密着するステンレスメッシュ９５）の下端が直線状に形成されていても、当該捨てコンクリート８５と断熱材９１（ステンレスメッシュ９５）の下端との間に隙間が開く部分が生じる。あるいは、図１４および図１５に示すように、捨てコンクリート８５の上面は平坦で形成されているが、断熱材９１（ステンレスメッシュ９５）の下端が直線状ではなく凹凸を有していれば、当該捨てコンクリート８５と断熱材９１（ステンレスメッシュ９５）の下端との間に隙間が開く部分が生じてしまう。そのため、現実には、シロアリは、捨てコンクリート８５と断熱材９１（ステンレスメッシュ９５）の下端との間の隙間部分から当該断熱材９１部分に入り込んで蟻道を作り、その蟻道を伝って土台８９（図１２参照）等の木材部分に達して食害を起こしてしまう。
【０００５】
なお、特許文献２に示すように、図１２に示すステンレスメッシュ９５の下端部９６を折り曲げて捨てコンクリート８５上面にセメントで接着させることも提案されているが、上記したように捨てコンクリート８５の上面に凹凸が有ると、ステンレスメッシュ９５の下端部が捨てコンクリート８５上面から離れてしまう部分（隙間となる部分）が生じてしまうことがあり、シロアリは当該隙間から断熱材９１に入り込んで蟻道を作り、その蟻道を伝って土台８９等の木材部分に達して食害を起こしてしまう。
【０００６】
上記した不都合は、従来基礎構築方法を実施した際に生じるものであるが、断熱基礎でも生じる。そこで、本出願人は断熱基礎構築で上記した不都合が生じない方法を開発する必要性を強く感じた。
【０００７】
本発明の目的は、木造建物の土台等の木材部分をシロアリによる食害から確実に防止でき施工も簡単な防蟻性能を有する断熱基礎の構築方法を提供することにある。
【課題を解決するための手段】
【０００８】
請求項１の発明は、防蟻性能を備えた断熱基礎の構築方法であって、捨てコンクリート上に一対の板状の断熱材を所定距離隔てて立設させて型枠を形成し、防蟻用のメッシュシート材をその下端部が当該型枠の外側の断熱材と当該捨てコンクリートとの間を通って当該両断熱材間のコンクリート充填空間に達するとともにその上部が当該外側の断熱材の上端面部に掛けられかつ当該上部の端部が当該コンクリート充填空間に達するように配設し、内側端部が当該コンクリート充填空間に達する金属製のカバーで当該メッシュシート材の上部を当該外側の断熱材の上端面部に押圧するようにして係止し、その状態で当該コンクリート充填空間にコンクリートを当該カバーの内側端部および当該メッシュシート材の上部の端部が埋設するまで打設して基礎の立ち上がり部を形成してなる。
【０００９】
上記した構成の請求項１の発明の場合、通常、断熱材は、硬質発泡樹脂（例えば、発泡スチロール）製とされている。また、防蟻用のメッシュシート材は、特許文献１で開示されたように、シロアリの分泌物に耐性でかつ少なくとも約７０のショワ硬度を有する耐腐食材料製とされかつ編み目の孔がシロアリ種の頭部最大寸法より小径のものを使う。
【００１０】
防蟻用のメッシュシート材は、コンクリート打設前に、その下端部が外側の断熱材と捨てコンクリートとの間に挟まるように固定され、その上部が当該外側の断熱材の上端面部に掛けられ更にその上から金属製のカバーで当該上端面部に押圧されるようにして係止されるので、現場でも簡単に仮止めすることができる。こうして、メッシュシート材を仮止め後、コンクリート充填空間にコンクリートを上記カバーの内側端部および上記メッシュシート材の上部の端部が埋設するまで打設する。
【００１１】
打設コンクリートが硬化した後は、上記メッシュシート材の下端部は、外側の断熱材と捨てコンクリートとの間に挟まれた状態で当該コンクリートに埋設されて固定される。また、上記メッシュシート材の上部は、カバーで外側の断熱材の上端面部に押圧されるようにして係止されその状態で更に当該カバーの内側端部および上記メッシュシート材の上部の端部が打設コンクリートに埋設される。したがって、打設コンクリート硬化後は、メッシュシート材は、その両端部（下端部および上端面部）が完全に固定されることになり、外側の断熱材の打設コンクリートと密着している背面を除く面部分は当該メッシュシートで覆われることになる。
【００１２】
これにより、シロアリが、外方の地面から外側の断熱材の内部へ入りこもうとしてもメッシュシート材に阻まれ入り込めない。万が一、メッシュシート材の一部が破れてしまい、そこからシロアリが外側の断熱材の内部へ入り込んでも当該断熱材の上端面部は金属製のカバーで覆われているので、当該カバーに進路を阻まれ当該上端面部の上にある土台等の木材には達しない。
【００１３】
以上より、木造建物の土台等の木材部分をシロアリによる食害から確実に防止でき施工も簡単である。
【００１４】
請求項２の発明は、前記メッシュシート材を、上メッシュシート材と下メッシュシート材とから形成し、当該下メッシュシート材をその下端部が前記外側の断熱材と前記捨てコンクリートとの間を通って前記コンクリート充填空間に達するように配設し、当該上メッシュシート材をその上部が当該外側の断熱材の上端面部に掛けられかつ当該上部の端部が前記コンクリート充填空間に達するように配設し、当該下メッシュシート材の上端面部と当該上メッシュシート材の下端部とを接着し、内側端部が当該コンクリート充填空間に達する金属製のカバーで当該上メッシュシート材の上部を当該外側の断熱材の上端面部に押圧するようにして係止し、その状態で当該コンクリート充填空間にコンクリートを当該カバーの内側端部および当該上メッシュシート材の上部の端部が埋設するまで打設して基礎の立ち上がり部を形成してなる請求項１記載の防蟻性能を備えた断熱基礎の構築方法である。
【００１５】
上記した請求項２の発明の場合、請求項１記載の発明と同様に、木造建物の土台等の木材部分をシロアリによる食害から確実に防止できる他、メッシュシートが、上メッシュシート材と下メッシュシート材とから形成されているので、大きさや重さを例えば半々とすることができる。したがって、現場までの運搬が楽になるとともに、現場での持ち運びやセット等が楽になる。なお、コンクリート打設後に、上メッシュシート材と下メッシュシート材とは接続しなければならないが、両方ともに内側端部が打設コンクリートに埋設されており確実に固定されているので、当該接続作業は簡単に行える。その結果、断熱基礎の施工も一段と簡単になる。
【００１６】
請求項３の発明は、前記外側の断熱材を、複数個の断熱ブロックを一列に接続して形成し、前記カバーを、当該断熱ブロック以上の長さを有するように形成し、当該カバーを前記外側の断熱材を形成する複数個の直接接続された断熱ブロックに跨るように配設してメッシュシート材の係止を行う構成とした請求項１又は２記載の防蟻性能を備えた断熱基礎の構築方法である。
【００１７】
上記した請求項３の発明の場合、請求項１又は２記載の発明と同様に、木造建物の土台等の木材部分をシロアリによる食害から確実に防止できる他、金属製のカバーがいわゆる定規の役目を果たし、複数個の断熱ブロックを正確かつ迅速に直線状に接続して外側の断熱材を形成できる。また、カバーが、接続された各断熱ブロックの接続箇所を覆うことによって、コンクリート打設時に当該接続箇所に大きなコンクリート圧がかかっても当該各接続箇所は曲がりにくくなり、外側の断熱材の構造強度を増すことができる。したがって、一段と型枠の構造強度が大きくなり、コンクリート打設時に断熱材の破損を防止できる。また、断熱基礎の直線精度も一段と向上する。
【００１８】
請求項４の発明は、補強用棒を、その内側端部を前記両断熱材よりも外方へ所定距離離れた地面に固定しかつその他端部を前記カバーに固定し、その後に、前記コンクリート充填空間にコンクリートを当該カバーの内側端部および前記メッシュシート材の上部の端部が埋設するまで打設することを特徴とする請求項１，２又は３記載の防蟻性能を備えた断熱基礎の構築方法である。
【００１９】
上記した請求項４の発明の場合、請求項１，２又は３記載の発明と同様に、木造建物の土台等の木材部分をシロアリによる食害から確実に防止できる他、カバーを足場にして補強用棒で地面に対して突っ張らせるという簡単な構成で、打設したコンクリートが硬化しないうちに、例えば作業者が断熱材と接触して外側（又は内側）へ押してしまったような場合でも、当該断熱材は補強用棒で補強されて倒れにくくなっているので、外側（又は内側）へ共倒れするようなことはない。これにより、両断熱材には、共倒れによる過大な曲げ応力が発生するようなことはなく、破損を防止できる。また、打設したコンクリートが曲がったまま硬化してしまい基礎の直線精度が出ないような事態も生じない。
【発明の効果】
【００２０】
請求項１の発明によれば、木造建物の土台等の木材部分をシロアリによる食害から確実に防止でき施工も簡単になる。
【００２１】
請求項２の発明によれば、請求項１記載の発明と同様に、木造建物の土台等の木材部分をシロアリによる食害から確実に防止できる他、メッシュシートを、上メッシュシート材と下メッシュシート材とから形成したので、大きさや重さを例えば半々とすることができる。したがって、現場までの運搬が楽になるとともに、現場での持ち運びやセット等が楽になる。その結果、断熱基礎の施工も一段と簡単になる。
【００２２】
請求項３の発明によれば、請求項１又は２記載の発明と同様に、木造建物の土台等の木材部分をシロアリによる食害から確実に防止できる他、金属製のカバーがいわゆる定規の役目を果たし、複数個の断熱ブロックを正確かつ迅速に直線状に接続して外側の断熱材を形成できる。また、カバーによって断熱材の構造強度が大きくなり、コンクリート打設時に断熱材の破損を防止できる。また、断熱基礎の直線精度も一段と向上する。
【００２３】
請求項４の発明によれば、請求項１，２又は３記載の発明と同様に、木造建物の土台等の木材部分をシロアリによる食害から確実に防止できる他、カバーを足場にして補強用棒で地面に対して突っ張らせるという補強ができる。これにより、コンクリート打設時に断熱材の破損を防止できる。また、打設したコンクリートが曲がったまま硬化してしまい基礎の直線精度が出ないような事態も生じない。
【発明を実施するための最良の形態】
【００２４】
以下、本発明の実施の形態を図面を参照しながら説明する。
【００２５】
（第１の実施形態）
【００２６】
第１の実施形態に係る防蟻性能を備えた断熱基礎１の構築方法は、図１および図８に示すように、捨てコンクリート５上に一対の板状の断熱材（１１，２１）を所定距離隔てて立設させて型枠１０を形成し、防蟻用のメッシュシート材３０をその下端部３１が当該型枠１０の外側の断熱材１１と当該捨てコンクリート５との間を通って当該両断熱材（１１，２１）間のコンクリート充填空間１９に達するとともにその上部３２が当該外側の断熱材１１の上端面部１４に掛けられかつ当該上部３２の端部３３が当該コンクリート充填空間１９に達するように配設し、内側端部５２が当該コンクリート充填空間１９に達する金属製のカバー５１で当該メッシュシート材３０の上部３２を当該外側の断熱材１１の上端面部１４に押圧するようにして係止し、その状態で当該コンクリート充填空間１９にコンクリートを当該カバー５１の内側端部５２および当該メッシュシート材３０の上部３２の端部３３が埋設するまで打設して基礎の立ち上がり部２を形成して成るものである。
【００２７】
なお、木造建物の外周部分に配設される外側の断熱材は、所定長さ（図１中紙面と直交方向の長さ）の板状断熱ブロック１１を所定個数繋げて形成されている。上記断熱ブロック１１は、板状の硬質発泡樹脂（例えば、発泡スチロール）から形成されている。より具体的には、断熱ブロックは、図２（Ａ）に示すように、横寸法Ｌ１が１３６５ｍｍ、縦寸法Ｌが７２０ｍｍ、厚さｗ２が５０ｍｍとされており、その上端面部の前方の角部は斜めにカットされている。  また、上記外側の断熱材１１よりも内側に配設される断熱材（内側断熱材２１）も、所定長さ（同図中紙面と直交方向の長さ）の断熱ブロック２２を所定個数繋げて形成されている。上記断熱ブロック２２も板状の硬質発泡樹脂（この実施形態では発泡スチロール）から形成されている。より具体的には、断熱ブロック２２は、同図（Ｂ）に示すように、横寸法Ｌ３が１３６５ｍｍ、縦寸法Ｌ４が３７０ｍｍ、厚さｗ３が５０ｍｍとされている。
【００２８】
上記外側の断熱材１１は、図１に示すように、その下端面が捨てコンクリート５の上面上に位置するように配設される。いっぽう、内側断熱材２１は、その下端面が捨てコンクリート５の上面から所定距離離れて配設される。図８に示すように、断熱基礎の立ち上がり部２および内方の土間コンクリート３とを一緒に形成するためである。なお、両断熱材（１１，２１）の間隔を一定に保つ保持部材（図１に示すセパレータ４１）が設けられている。
【００２９】
なお、防蟻用のメッシュシート材３０は、図５および図６に示すように、シロアリの分泌物に耐性でかつ約７０以上のショワ硬度を有する耐腐食材料製とされかつ編み目の孔３６はシロアリの進入を阻止できる大きさ（例えば、シロアリの頭部最大寸法より小径のもの）とされている。この実施形態では、メッシュシート材３０は、ステンレス鋼ワイヤー３５等から形成されている。なお、シロアリとは、シロアリ目（等翅類）の総称である。例えば、ヤマトシロアリやイエシロアリが挙げられる。
【００３０】
この実施形態では、カバー５１は、アルミニウム合金製とされ、図１に示すように、外側の断熱材１１の上端面部１４に掛けられたメッシュシート材３０の上部３２をクリップするようにして当該上端面部１４に押圧し係止するように構成されている。より具体的には、カバー５１は、アルミニウム合金の板を折り曲げ加工して形成されている。カバー５１の凹み部分５４の幅ｗ３は、当該カバー５１を断熱材１１の上端面部１４にメッシュシート材３０を介在した状態で少しきつく被せることができるように選定されている。
【００３１】
本断熱基礎１の構築方法を以下詳細に述べる。
【００３２】
（Ａ）図１に示すように、捨てコンクリート５上に、外側の断熱材１１と内側断熱材２１とを所定距離（例えば、１５０ｍｍ）隔てて立設する。外側の断熱材１１は、図２および図３に示すように、互いの端面１３を介して複数個の断熱ブロック１２を一列に接続して形成してある。内側断熱材２１も同様である。
【００３３】
（Ｂ）、メッシュシート材３０の上部３２を、図１および図５に示すように、外側の断熱材１１の上端面部１４に密着させながら当該上端面部１４の形状に倣って折り曲げる。この際、メッシュシート材３０の上部３２の端部３３が、コンクリート充填空間１９に達するようにセットする。その状態で、複数個のカバー５１を、図５に示すように、上記メッシュシート材３０の上部３２を介在させた状態で外側の断熱材１１の上端面部１４に被せる。すると、カバー３０は、その上部３２の端部３３をコンクリート充填空間１９に達するようにした位置を保持した状態で当該メッシュシート材３０の上部３２を係止する。この係止力は、カバー５１とメッシュシート材３０と外側の断熱材１１との間に働く摩擦力に起因する。こうして、上部３２が係止されたメッシュシート材３０の断熱材１１の縦寸法Ｌ２相当の箇所を内側に折って、当該折り曲げた部分（下端部３１）を外側の断熱材１１と捨てコンクリート５との間を通過させて上記コンクリート充填空間１９に達するようにセットする。これにより、メッシュシート材３０で外側の断熱材１１の一部はその内面（打設コンクリートと接する面）を除く面は覆われたことになる。
【００３４】
（Ｃ）こうして、メッシュシート材３０を仮止め後、コンクリート充填空間１９にコンクリートを上記カバー５１の内側端部５２および上記メッシュシート材３０の上部３２の端部３３が埋設するまで打設する。打設コンクリートが硬化した後は、上記メッシュシート材３０の下端部３１は、外側の断熱材１１と捨てコンクリート５との間に挟まれた状態で当該コンクリートに埋設されて固定される。また、上記メッシュシート材３０の上部３２は、カバー５１で係止されその状態で更に当該カバー５１の内側端部５２および上記メッシュシート材３０の上部３２の端部３３が打設コンクリートに埋設される。その結果、打設コンクリート硬化後は、メッシュシート材３０は、その両端部（下端部３１および上端部３３）が完全に固定されることになり、外側の断熱材１１は打設コンクリートと密着している内面を除く面は全て当該メッシュシート材３０で覆われることになる。これにより、シロアリが、外方の地面から外側の断熱材１１の内部へ入りこもうとしてもメッシュシート材３０に阻まれ入り込めない。したがって、シロアリが外側の断熱材１１より上方にある土台４等の木材には達することはなく食害は発生しない。
【００３５】
万が一、メッシュシート材３０の一部が破れてしまい、そこから１匹でもシロアリが侵入してしまうと、シロアリは大群で断熱材１１内を掘り進んで、トンネルのような道（蟻道）を作りながら当該断熱材１１の上端面部１２まで登って行くことがある。しかし、外側の断熱材１１の上端面部１４はメッシュシート材３０で覆われているともに更にその外側から金属製のカバー５１で覆われており、しかも当該カバー５１とメッシュシート材３０とは打設コンクリートによって完全に固定されている。なお、メッシュシート材３０の上部３２は、カバー５１に被覆されているので保護され損傷することはない。その結果、シロアリは、断熱材１１の上端面部１４に達しても、メッシュシート材３０の上部３２と金属製のカバー５１とに行く手を阻まれて、それよりも上の土台４等へは進めなくなる。ここで、シロアリは、鋭い牙を持っているが、当該メッシュシート材３０を食い破り更に金属製のカバー５１を齧って穴を開けられるほどではない。したがって、シロアリが建築物の土台４等に達することはなく、建築物の木材に対するシロアリの食害を防止できる。以上より、木造建物の土台等の木材部分をシロアリによる食害から確実に防止でき施工も簡単である。
【００３６】
（第２の実施形態）
【００３７】
第２の実施形態に係る発明は、図９に示すように、前記メッシュシート材３０を、上メッシュシート材３０Ａと下メッシュシート材３０Ｂとから形成し、当該下メッシュシート材３０Ｂをその下端部３１が前記外側の断熱材１１と前記捨てコンクリート５との間を通って前記コンクリート充填空間１９に達するように配設し、当該上メッシュシート材３０Ａをその上部３２ｂが当該外側の断熱材１１の上端面部１４に掛けられかつ当該上部３２ｂの端部３３ｂが前記コンクリート充填空間１９に達するように配設し、当該下メッシュシート材３０Ｂの上端部３０Ｂｂと当該上メッシュシート材３０Ａの下端部３０Ａａとを接着し、内側端部５２が当該コンクリート充填空間１９に達する金属製のカバー５１で当該上メッシュシート材３０Ａの上部３２ｂを当該外側の断熱材１１の上端面部１４に押圧するようにして係止し、その状態で当該コンクリート充填空間１９にコンクリートを当該カバー５１の内側端部５２および当該上メッシュシート材３０Ａの上部３２ｂの端部３３ｂが埋設するまで打設して基礎の立ち上がり部２を形成してなる。
【００３８】
上記した第２の実施形態の発明の場合、第１の実施形態の発明と同様に、木造建物の土台４等の木材部分をシロアリによる食害から確実に防止できる他、メッシュシート材３０が、上メッシュシート材３０Ａと下メッシュシート材３０Ｂとから形成されているので、大きさや重さを例えば半々とすることができる。したがって、現場までの運搬が楽になるとともに、現場での持ち運びやセット等が楽になる。なお、コンクリート打設後に、上メッシュシート材３０Ａと下メッシュシート材３０Ｂとは接続しなければならないが、両方ともに一端部が打設コンクリートに埋設されており確実に固定されているので、当該接続作業は簡単に行える。その結果、断熱基礎の施工も一段と簡単になる。
【００３９】
（第３の実施形態）
【００４０】
第３の実施形態に係る発明は、前記外側の断熱材１１を、複数個の断熱ブロック１２を一列に接続して形成し、前記カバー５１を、当該断熱ブロック１１以上の長さを有するように形成し、当該カバー５１を前記外側の断熱材１１を形成する複数個の断熱ブロック１２に跨るように配設してメッシュシート材３０の係止を行うようにしたものである。図１０に、カバー５１の寸法を示す。カバー５１の長さＬ６は、図２（Ａ）に示す断熱ブロック１２の横寸法ｌ１よりも大きくなるように選定されている。
【００４１】
上記した構成の第３の実施形態に係る発明の場合、第１又は第２の実施形態の発明と同様に、木造建物の土台４等の木材部分をシロアリによる食害から確実に防止できる他、金属製のカバー５１がいわゆる定規の役目を果たし、複数個の断熱ブロック１２を正確かつ迅速に直線状に接続して外側の断熱材１１を形成できる。また、カバー５１が、互いに接続された各断熱ブロック１２の接続箇所を覆うことになり、コンクリート打設時に当該接続箇所に大きなコンクリート圧がかかっても当該各接続箇所は開きにくく、外側の断熱材１２の構造強度を増すことができる。この外側の断熱材１２とセパレータ４１を介して幅方向に接続された内側断熱材２１の構造強度も増す。したがって、一段と型枠１０の構造強度が大きくなり、両断熱材（１１，２１）のコンクリート打設時の共倒れによる破損を防止できる。また、断熱基礎１の直線精度も一段と向上する。
【００４２】
（第４の実施形態）
【００４３】
第４の実施形態に係る発明は、図１１に示すように、補強用棒６１を、その一端部６２を外側の断熱材１１よりも外方へ所定距離離れた地面９に固定しかつその他端部６３を前記カバー５１に固定し、その後に、前記コンクリート充填空間１９にコンクリートを当該カバー５１の内側端部５２および前記メッシュシート材３０の上部３２の端部３３が埋設するまで打設することにより成る。より、具体的には、外側の断熱材１１から外方に所定距離離離れた地面９に杭６を打ち込み、当該杭６に補強用棒５１の一端部６２を釘等で固定する。そして、この補強用棒６１の他端部６３をカバー５１の上端面部に釘等で固定する。この際、カバー５１の上縁面部の前面部分が傾斜しているので、補強用棒６１の他端部６３を安定して載置して釘等で固定しやすい。
なお、図１１では、メッシュシート材３０を、上記第２の実施形態と同様に、上メッシュシート材３０Ａと下メッシュシート材３０Ｂとから形成してあるが、第１の実施形態で詳述したように、単体でもよいことはもとよりである。
【００４４】
上記した構成の第４の実施形態に係る発明の場合、第１，第２又は第３の実施形態の発明と同様に、木造建物の土台４等の木材部分をシロアリによる食害から確実に防止できる他、カバー５１を足場にして補強用棒６１で地面９に対して突っ張らせるという簡単な構成で、打設したコンクリートが硬化しないうちに、例えば作業者が断熱材（１１又は２１）と接触して外側（又は内側）へ押してしまったような場合でも、当該断熱材（１１又は２１）は補強用棒６１で補強されて倒れにくくなっているので、外側（又は内側）へ共倒れするようなことはない。これにより、両断熱材（１１，２１）には、共倒れによる過大な曲げ応力が発生するようなことはなく、破損を防止できる。また、打設したコンクリートが曲がったまま硬化してしまい基礎の直線精度が出ないような事態も生じない。
【図面の簡単な説明】
【００４５】
【図１】本発明に係る防蟻性能を備えた基礎の構築方法を説明するための図である。
【図２】断熱ブロックを説明するための図である。
【図３】断熱ブロックを接続して形成された外側の断熱材を示す図である。
【図４】断熱ブロックを接続して形成された外側の断熱材を示す側面図である。
【図５】本断熱基礎の施工を説明するための図である。
【図６】メッシュシート材の構成を説明するための図である。
【図７】カバーを説明するための図である。
【図８】コンクリート打設後を示す図である。
【図９】第２の実施形態を説明するための図である。
【図１０】第３の実施形態を説明するための図である。
【図１１】第４の実施形態を説明するための図である。
【図１２】従来の基礎の構築方法の欠点を説明するための図（１）である。
【図１３】従来の基礎の構築方法の欠点を説明するための図（２）である。
【図１４】従来の基礎の構築方法の欠点を説明するための図（３）である。
【図１５】従来の基礎の構築方法の欠点を説明するための図（４）である。
【符号の説明】
【００４６】
１  断熱基礎
２  断熱基礎の立ち上がり部
３  土間コンクリート
４  土台
５  捨てコンクリート
９  地面
１０  型枠
１１  外側の断熱材
１２  断熱ブロック
１４  上端面部
１９  コンクリート充填空間
２１  内側の断熱材
２２  断熱ブロック
３０  メッシュシート材
３１  下端部
３２  上部
３３  端部
４１  セパレータ
５１  金属製のカバー
６１  補強棒
【図１】
2008013915.tif 000003
【図２】
2008013915.tif 000004
【図３】
2008013915.tif 000005
【図４】
2008013915.tif 000006
【図５】
2008013915.tif 000007
【図６】
2008013915.tif 000008
【図７】
2008013915.tif 000009
【図８】
2008013915.tif 000010
【図９】
2008013915.tif 000011
【図１０】
2008013915.tif 000012
【図１１】
2008013915.tif 000013
【図１２】
2008013915.tif 000014
【図１３】
2008013915.tif 000015
【図１４】
2008013915.tif 000016
【図１５】
2008013915.tif 000017
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
防蟻性能を備えた断熱基礎の構築方法であって、
捨てコンクリート上に一対の板状の断熱材を所定距離隔てて立設させて型枠を形成し、
上メッシュシート材と下メッシュシート材とからなる防蟻用のメッシュシート材を備え、
前記下メッシュシート材をその下端部が前記型枠の外側の断熱材と前記捨てコンクリー
トとの間を通って当該両断熱材間のコンクリート充填空間に達するように配設し、
前記上メッシュシート材の上部を折り曲げて前記外側の断熱材の上端面部に掛かるとと
もに当該上部の端部が前記コンクリート充填空間に達するように配設し、凹み部分と当
該凹み部分から水平方向に突出する内側端部を有する金属製のカバーをその内側端部を
前記コンクリート充填空間に突出させた状態でその凹み部分を当該上メッシュシート材
の上部を介在させた状態で前記外側の断熱材の上端面部に被せ、
前記上メッシュシート材の下端部と前記下メッシュシート材の上端部とを接着し、
その状態で前記コンクリート充填空間にコンクリートを前記カバーの内側端部および前記上メッシュシート材の上部の端部が埋設するまで打設して基礎の立ち上がり部を形成してなる防蟻性能を備えた断熱基礎の構築方法。
【請求項２】
前記外側の断熱材を、複数個の断熱ブロックを一列に接続して形成し、
前記カバーを、当該断熱ブロック以上の長さを有するように形成し、当該カバーを前記
外側の断熱材を形成する複数個の断熱ブロックに跨るように配設して前記上メッシュシー
ト材の係止を行う構成とした請求項１記載の防蟻性能を備えた断熱基礎の構築方法。
【請求項３】
補強用棒を、その内側端部を前記両断熱材よりも外方へ所定距離離れた地面に固定しか
つその他端部を前記カバーに固定し、その後に、前記コンクリート充填空間にコンクリー
トを当該カバーの内側端部および前記上メッシュシート材の上部の端部が埋設するまで打
設することを特徴とする請求項１又は２記載の防蟻性能を備えた断熱基礎の構築方法。
【手続補正２】
【補正対象書類名】明細書
【補正対象項目名】０００８
【補正方法】変更
【補正の内容】
【０００８】
請求項１の発明は、防蟻性能を備えた断熱基礎の構築方法であって、捨てコンクリート上に一対の板状の断熱材を所定距離隔てて立設させて型枠を形成し、上メッシュシート材と下メッシュシート材とからなる防蟻用のメッシュシート材を備え、前記下メッシュシート材をその下端部が前記型枠の外側の断熱材と前記捨てコンクリートとの間を通って当該両断熱材間のコンクリート充填空間に達するように配設し、前記上メッシュシート材の上部を折り曲げて前記外側の断熱材の上端面部に掛かるとともに当該上部の端部が前記コンクリート充填空間に達するように配設し、凹み部分と当該凹み部分から水平方向に突出する内側端部を有する金属製のカバーをその内側端部を前記コンクリート充填空間に突出させた状態でその凹み部分を当該上メッシュシート材の上部を介在させた状態で前記外側の断熱材の上端面部に被せ、前記上メッシュシート材の下端部と前記下メッシュシート材の上端部とを接着し、その状態で前記コンクリート充填空間にコンクリートを前記カバーの内側端部および前記上メッシュシート材の上部の端部が埋設するまで打設して基礎の立ち上がり部を形成してなる。
【手続補正３】
【補正対象書類名】明細書
【補正対象項目名】００１０
【補正方法】変更
【補正の内容】
【００１０】
防蟻用のメッシュシート材である下メッシュシート材は、その下端部が外側の断熱材と捨てコンクリートとの間に挟まるように固定され、上メッシュシート材はその上部が当該断熱材の上端面部に掛けられ更にその上から金属製のカバーで当該上端面部に押圧されるようにして係止されるので、現場でも簡単に仮止めすることができる。なお、上メッシュシート材の下端部と下メッシュシート材の上端部とは接続しなければならないが、両方ともに一端部が固定されているので、当該接続作業は簡単に行える。コンクリート充填空間にコンクリートを上記カバーの内側端部および上記上メッシュシート材の上部の端部が埋設するまで打設する。
【手続補正４】
【補正対象書類名】明細書
【補正対象項目名】００１１
【補正方法】変更
【補正の内容】
【００１１】
打設コンクリートが硬化した後は、上記下メッシュシート材の下端部は、外側の断熱材と捨てコンクリートとの間に挟まれた状態で当該コンクリートに埋設されて固定される。また、上記上メッシュシート材の上部は、カバーで外側の断熱材の上端面部に押圧されるようにして係止されその状態で更に当該カバーの内側端部および当該上部の端部が打設コンクリートに埋設される。したがって、打設コンクリート硬化後は、上記各メッシュシート材は、それぞれの両端部が完全に固定されることになり、外側の断熱材の打設コンクリートと密着している背面を除く面部分は当該各メッシュシート材で覆われることになる。なお、防蟻用のメッシュシート材が、上メッシュシート材と下メッシュシート材とから形成されているので、大きさや重さを例えば半々とすることができる。したがって、現場までの運搬が楽になるとともに、現場での持ち運びやセット等が楽になる。
【手続補正５】
【補正対象書類名】明細書
【補正対象項目名】００１４
【補正方法】変更
【補正の内容】
【００１４】
請求項２の発明は、前記外側の断熱材を、複数個の断熱ブロックを一列に接続して形成し、  前記カバーを、当該断熱ブロック以上の長さを有するように形成し、当該カバーを前記外側の断熱材を形成する複数個の断熱ブロックに跨るように配設して前記上メッシュシート材の係止を行う構成とした請求項１記載の防蟻性能を備えた断熱基礎の構築方法である。
【手続補正６】
【補正対象書類名】明細書
【補正対象項目名】００１５
【補正方法】変更
【補正の内容】
【００１５】
上記した請求項２の発明の場合、請求項１記載の発明と同様に、木造建物の土台等の木材部分をシロアリによる食害から確実に防止できる他、金属製のカバーがいわゆる定規の役目を果たし、複数個の断熱ブロックを正確かつ迅速に直線状に接続して外側の断熱材を形成できる。また、カバーが、接続された各断熱ブロックの接続箇所を覆うことによって、コンクリート打設時に当該接続箇所に大きなコンクリート圧がかかっても当該各接続箇所は曲がりにくくなり、外側の断熱材の構造強度を増すことができる。したがって、一段と型枠の構造強度が大きくなり、コンクリート打設時に断熱材の破損を防止できる。また、断熱基礎の直線精度も一段と向上する。
【手続補正７】
【補正対象書類名】明細書
【補正対象項目名】００１６
【補正方法】変更
【補正の内容】
【００１６】
請求項３の発明は、前記外側の断熱材を、複数個の断熱ブロックを一列に接続して形成し、前記カバーを、当該断熱ブロック以上の長さを有するように形成し、当該カバーを前記
外側の断熱材を形成する複数個の断熱ブロックに跨るように配設して前記上メッシュシー
ト材の係止を行う構成とした請求項１又は２記載の防蟻性能を備えた断熱基礎の構築方法である。
【手続補正８】
【補正対象書類名】明細書
【補正対象項目名】００１７
【補正方法】変更
【補正の内容】
【００１７】
上記した請求項３の発明の場合、請求項１又は２記載の発明と同様に、木造建物の土台等の木材部分をシロアリによる食害から確実に防止できる他、カバーを足場にして補強用棒で地面に対して突っ張らせるという簡単な構成で、打設したコンクリートが硬化しないうちに、例えば作業者が断熱材と接触して外側（又は内側）へ押してしまったような場合でも、当該断熱材は補強用棒で補強されて倒れにくくなっているので、外側（又は内側）へ共倒れするようなことはない。これにより、両断熱材には、共倒れによる過大な曲げ応力が発生するようなことはなく、破損を防止できる。また、打設したコンクリートが曲がったまま硬化してしまい基礎の直線精度が出ないような事態も生じない。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２１
【補正方法】変更
【補正の内容】
【００２１】
請求項２の発明によれば、請求項１記載の発明と同様に、木造建物の土台等の木材部分をシロアリによる食害から確実に防止できる他、金属製のカバーがいわゆる定規の役目を果たし、複数個の断熱ブロックを正確かつ迅速に直線状に接続して外側の断熱材を形成できる。また、カバーによって断熱材の構造強度が大きくなり、コンクリート打設時に断熱材の破損を防止できる。また、断熱基礎の直線精度も一段と向上する。
【手続補正１２】
【補正対象書類名】明細書
【補正対象項目名】００２２
【補正方法】変更
【補正の内容】
【００２２】
請求項３の発明によれば、請求項１又は２記載の発明と同様に、木造建物の土台等の木材部分をシロアリによる食害から確実に防止できる他、カバーを足場にして補強用棒で地面に対して突っ張らせるという補強ができる。これにより、コンクリート打設時に断熱材の破損を防止できる。また、打設したコンクリートが曲がったまま硬化してしまい基礎の直線精度が出ないような事態も生じない。
【手続補正１３】
【補正対象書類名】明細書
【補正対象項目名】００２３
【補正方法】削除
【補正の内容】